(57)【要約】【課題】施工後に一部の床材を容易に抜き取ることが可能な床材の提供。【解決手段】本実施形態の床材１０は、表面層３と基材層４を備えるものであり、表面層３の表面１０ａに縦溝１を、その裏面１０ｂに分断用裏縦溝２ａを有しており、分断用裏縦溝２ａは、床材１０の裏面１０ｂ側の縦溝１に対応する位置に、縦溝１に沿うように形成されており、また、分断用裏縦溝２ａと床材側端部１０ｃとの間に剛性低下用裏縦溝２ｂを有しており、三点曲げ試験における支持点間に剛性低下用裏縦溝２ｂがない条件で測定した曲げ強さをＢ０、剛性低下用裏縦溝２ｂがある条件で測定した曲げ強さをＢ１とするとき、Ｒｂ（＝Ｂ１／Ｂ０）が０．１０〜０．４０である。【選択図】  図２
2017101499.tif 000002
【特許請求の範囲】
【請求項１】
表面層と基材層を備え、前記表面層表面に縦溝を有する、床材であって、
その裏面に該縦溝に沿うように形成した分断用裏縦溝および前記分断用裏縦溝と床材側端部との間に剛性低下用裏縦溝を有し、下記（１）式から算出される曲げ強さ比Ｒｂが０．１０〜０．４０である、床材。
Ｒｂ＝Ｂ１／Ｂ０      （１）
但し、Ｂ０は、三点曲げ試験における支持点間に前記剛性低下用裏縦溝がない条件で測定した曲げ強さ（ＭＰａ）、Ｂ１は、三点曲げ試験における支持点間に前記剛性低下用裏縦溝がある条件で測定した曲げ強さ（ＭＰａ）をそれぞれ意味する。
【請求項２】
三点曲げ試験における支持点間に前記剛性低下用裏縦溝がある条件で測定した曲げ強さが、５〜２０ＭＰａである、請求項１に記載の床材。
【請求項３】
三点曲げ試験における支持点間に前記剛性低下用裏縦溝がない条件で測定した曲げ強さが、３０ＭＰａ以上である、請求項１または２に記載の床材。
【請求項４】
前記基材層が、合板層を含み、前記剛性低下用裏縦溝の溝底が、前記剛性低下用裏縦溝に平行な単板層にある、請求項１〜３のいずれかに記載の床材。
【請求項５】
床下地に接着層を介して請求項１〜４のいずれかに記載の床材を貼り付けた床構造であって、前記接着層が、床材裏面の少なくとも外周縁部に形成され、前記剛性低下用裏縦溝のうちの少なくとも１本が、その全長に対する前記接着層が形成されていない部分の長さが８０％以上である、床構造。
【請求項６】
前記接着層の幅が５０ｍｍ以下である、請求項５に記載の床構造。
【請求項７】
前記接着層が、前記分断用裏縦溝上に形成された、請求項５または６に記載の床構造。
【請求項８】
請求項５〜７のいずれかに記載の床構造から一部の床材を抜き取る方法であって、抜取対象床材の分断用裏縦溝に沿って切込みを入れる工程、運搬用吸盤を該抜取対象床材の表面に吸着させる工程、該運搬用吸盤を上方に移動させ、該抜取対象床材を剥がす工程、および、下地に残存するフロア残留物を取り除く工程を有する一部床材の抜き取り方法。
【発明の詳細な説明】
【技術分野】
【０００１】
本発明は、床材、床構造および一部床材の抜き取り方法に係り、特に、床の施工後に一部の床材のみを容易に取り除くことができる床材、床構造および一部床材の抜き取り方法に関する。
【背景技術】
【０００２】
床の施工には、四周に実（雄実および雌実）が形成されている複数の床材が用いられ、床材の雄実を他の床材の雌実にはめ込むとともに、接着剤やビスなどによって下地材に固定することにより敷設される。このようにして施工された床は、床材同士および床材と下地材とが固着している。
【０００３】
よって、床材の施工後に床材の一部に凹みなどの傷を発見しても、その床材のみを取り除くのは困難である。このため、通常、このような床の補修を行う場合には、傷のある床材だけでなく、その床材から壁際に施工された床材までの複数の床材を一旦取り外し、傷のない床材を再度施工する必要がある。例えば、特許文献１には、特に、取り除くべき床材を鋸などで複数個に適宜切断するなどの方法により取り除くことが記載されている。
【０００４】
特許文献２には、裏面の中央部に裏溝を有する化粧材に関する発明が記載されている。また、出願人は、特許文献３において、表面に縦溝を有する床材であって、その裏面に該縦溝に沿うように形成した裏溝を有する床材に関する発明を開示している。
【先行技術文献】
【特許文献】
【０００５】
【特許文献１】特開２００３−０７４１７０号公報
【特許文献２】特開２００３−２４７３３４号公報
【特許文献３】特開２０１３−１８１３６４号公報
【発明の概要】
【発明が解決しようとする課題】
【０００６】
前述のように、特許文献１には、取り除くべき床材がいずれ廃棄されるものであることから、その床材を鋸などで複数個に適宜切断するなどの方法により取り除くことが記載されている。しかし、この文献では、実際にどのように切断するのかについては全く記載されていない。
【０００７】
特許文献２の発明においては、敷設後の化粧材の一部を交換等のために外す際に、その裏溝がある部分の表面をカッターなどで切断するとされている。特許文献３の発明は、カッターなどにより、縦溝に沿って切り込みを入れ、容易に床材を分断するものである。これらの発明では、床材を部分的に取り除く際に、床材を容易に分断することができるので、一部床材の抜き取りを容易に行うことができる。しかし、床材を分離するための裏溝だけでは、剥離作業時に大きな力を要し、周囲の床材を傷つけたり、騒音が大きくなったりする。よって、できる限り小さな力で剥離作業が行えるようにする必要がある。
【０００８】
本発明は、床材の施工後に、床材の一部を容易に取り除くことが可能な床材、床構造および一部床材の抜き取り方法を提供することを目的とする。
【課題を解決するための手段】
【０００９】
本発明者らは、上記の目的を達成するべく、鋭意研究を行った。
【００１０】
例えば、マンション用などの直貼フロアには、６〜１２ｍｍ程度の厚さの基材表面に、０．２〜３．０ｍｍ程度の厚さの化粧材を貼り付けた床材が用いられる。この基材としては、合板、繊維板（ＨＤＦ、ＭＤＦなど）などのほか、合板と繊維板とを貼り合わせたものがある。また、通常は、前記の基材の裏面にウレタンなどの緩衝材を貼り付けたものが用いられる。
【００１１】
例えば、雄実の実長さを短くしたり、床材の厚さを薄くしたりするなど、構造上の変更を行えば、一部床材の抜き取りを容易にすることはできる。しかし、本実形状や厚さなどの基本構造を誤って変更すれば、強度不足、段違い、床鳴りなど、床材としての基本的な性能に悪影響を及ぼすことがある。
【００１２】
そこで、本発明者は、基本的な性能を維持したまま、一部床材の抜き取りをする場合には床材の一部を容易に分断できる床材について検討し、特に、床材の表面に形成された縦溝に注目した。すなわち、縦溝（床材の長手方向に設けられたＶ形状などの溝）は、化粧材の厚さより深く彫り込まれているため、他の部分より強度が弱い。そして、本発明者らの研究により、床材の裏面に縦溝の沿うように、すなわち、縦溝の背面に裏溝を形成して、部分的に薄い箇所を設けることにより、一部床材の抜き取りを容易にすることができることを見い出した。
【００１３】
本発明者らは、より小さな力で剥離作業が行えるよう鋭意研究を行い、縦溝の背面に分断用裏縦溝を形成するとともに、その分断用裏縦溝と床材側端部との間に剛性低下用裏縦溝を形成することにより、一部床材の抜き取り作業時に、床材は、分断用裏縦溝に沿って分断されるとともに、剛性低下用裏縦溝に沿って折れ曲がり、その結果、剥離作業に要する力を小さくすることが可能となることを見出した。
【００１４】
本発明者らはさらに、床材を用いて床構造を施工する際の接着剤の塗布位置を所定の位置にすることにより、剥離作業に要する力をさらに小さくすることが可能となることを見出した。
【００１５】
本発明は、このような知見に基づいてなされたものであり、床材、床構造および一部床材の抜き取り方法を要旨とする。
【００１６】
（１）表面層と基材層を備え、前記表面層表面に縦溝を有する、床材であって、
その裏面に該縦溝に沿うように形成した分断用裏縦溝および前記分断用裏縦溝と床材側端部との間に剛性低下用裏縦溝を有し、下記（１）式から算出される曲げ強さ比Ｒｂが０．１０〜０．４０である、床材。
Ｒｂ＝Ｂ１／Ｂ０      （１）
但し、Ｂ０は、三点曲げ試験における支持点間に前記剛性低下用裏縦溝がない条件で測定した曲げ強さ（ＭＰａ）、Ｂ１は、三点曲げ試験における支持点間に前記剛性低下用裏縦溝がある条件で測定した曲げ強さ（ＭＰａ）をそれぞれ意味する。
【００１７】
（２）三点曲げ試験における支持点間に前記剛性低下用裏縦溝がある条件で測定した曲げ強さが、５〜２０ＭＰａである、上記（１）の床材。
【００１８】
（３）三点曲げ試験における支持点間に前記剛性低下用裏縦溝がない条件で測定した曲げ強さが、３０ＭＰａ以上である、上記（１）または（２）の床材。
【００１９】
（４）前記基材層が、合板層を含み、前記剛性低下用裏縦溝の溝底が、前記剛性低下用裏縦溝に平行な単板層にある、上記（１）〜（３）のいずれかの床材。
【００２０】
（５）床下地に接着層を介して上記（１）〜（４）のいずれかの床材を貼り付けた床構造であって、前記接着層が、床材裏面の少なくとも外周縁部に形成され、前記剛性低下用裏縦溝のうちの少なくとも１本が、その全長に対する前記接着層が形成されていない部分の長さが８０％以上である、床構造。
【００２１】
（６）前記接着層の幅が５０ｍｍ以下である、上記（５）の床構造。
【００２２】
（７）前記接着層が、前記分断用裏縦溝上に形成された、上記（５）または（６）の床構造。
【００２３】
（８）上記（５）〜（７）の床構造から一部の床材を抜き取る方法であって、抜取対象床材の分断用裏縦溝に沿って切込みを入れる工程、運搬用吸盤を該抜取対象床材の表面に吸着させる工程、該運搬用吸盤を上方に移動させ、該抜取対象床材を剥がす工程、および、下地に残存するフロア残留物を取り除く工程を有する一部床材の抜き取り方法。
【発明の効果】
【００２４】
本発明によれば、カッターなどの切断手段により、縦溝に沿って床材を容易に分断することができ、また、より小さな力で剥離作業をおこなうことができるので、施工後に一部の床材を容易に抜き取ることが可能となる。このような床材を用いた床構造であれば、一部床材の抜き取る際に、施工済みの他の床材を傷つけることなく、また、より小さな力で抜取対象床材を剥がすことが可能となる。
【図面の簡単な説明】
【００２５】
【図１】本発明に係る床材を例示した上面図
【図２】本発明に係る床材を例示した背面図
【図３】図１のＡ−Ａ断面図
【図４】図３の円Ｂについての部分拡大図
【図５】図３の円Ｃについての部分拡大図
【図６】本発明に係る床構造における接着層の形成位置を例示した図
【図７】本発明に係る床構造における接着層の形成位置を例示した図
【図８】本発明に係る床構造における接着層の形成位置を例示した図
【図９】本発明に係る床構造における接着層の形成位置を例示した図
【図１０】一部の床材の縦溝に切込みを入れる工程を例示した図
【図１１】抜取対象床材を剥がす工程を例示した図
【発明を実施するための形態】
【００２６】
以下、図１〜１１を用いて、本発明の実施態様を説明するが、本発明は、図に示された床材に限定されないのはいうまでもない。
【００２７】
１．本実施形態の床材
図１〜５に示すように、本実施形態の床材１０は、表面層３と基材層４を備えるものであり、表面層３の表面１０ａに縦溝１を、その裏面１０ｂに分断用裏縦溝２ａを有しており、分断用裏縦溝２ａは、床材１０の裏面１０ｂ側の縦溝１に対応する位置に、縦溝１に沿うように形成されており、また、分断用裏縦溝２ａと床材側端部１０ｃとの間に剛性低下用裏縦溝２ｂを有している。
【００２８】
そして、本実施形態の床材１０は、下記（１）式から算出される曲げ強さ比Ｒｂが０．１０〜０．４０である。
Ｒｂ＝Ｂ１／Ｂ０      （１）
但し、Ｂ０は、三点曲げ試験における支持点間に剛性低下用裏縦溝２ｂがない条件で測定した曲げ強さ（ＭＰａ）、Ｂ１は、三点曲げ試験における支持点間に前記剛性低下用裏縦溝２ｂがある条件で測定した曲げ強さ（ＭＰａ）をそれぞれ意味する。
【００２９】
曲げ強さ比Ｒｂが０．１０未満の場合、床としての使用時に割れなど不具合が生じる可能性があり、一方、曲げ強さ比Ｒｂが０．４０を超えると、引き剥がし時に大きな力を要する。曲げ強さ比Ｒｂの好ましい上限は０．３５であり、より好ましいのは０．３２である。
【００３０】
剛性低下用裏縦溝２ｂによって剛性を低下させた部位の曲げ強度は、十分に低いことが好ましい。具体的には、三点曲げ試験における支持点間に剛性低下用裏縦溝２ｂがある条件で測定した曲げ強さは、５〜２０ＭＰａであることが好ましい。この曲げ強さが５ＭＰａ未満の場合、床として使用時に、剛性低下用裏縦溝２ｂの部分で容易に折れ曲がったり、床表面に裏溝が映ったりする。一方、この曲げ強さが２０ＭＰａを超える場合、引き剥がし時に要する力を小さくすることが難しくなるおそれがある。この曲げ強さは、１６ＭＰａ以下が好ましい。
【００３１】
本実施形態の床材は、縦溝１に沿うように形成した分断用裏縦溝２ａをカッターなどによって切断するまでは、破壊しないことが求められるため、剛性低下用裏縦溝２ｂがない部位は、床材として十分な曲げ強度を有することが好ましい。具体的には、三点曲げ試験における支持点間に剛性低下用裏縦溝２ｂがない条件で測定した曲げ強さは、３０ＭＰａ以上であることが好ましい。この曲げ強さは、３５ＭＰａ以上が好ましい。
【００３２】
本実施形態の床材の表面層には、制約がなく、突板、挽板、シートなど、公知の表面層を用いることができる。本実施形態の床材の基材層には、制約がなく、合板、ＭＤＦ、ＰＢなどの公知の基材を用いることができ、これらを組み合わせて用いることもできる。本実施形態の床材は、裏面に塩化ビニルなどの合成樹脂層を備えるものであってもよい。また、ウレタンなどからなるクッション層を備えるものであってもよい。なお、剛性低下用裏縦溝２ｂによる効果は、クッション層がない床材において顕著となる。
【００３３】
床材の厚さは３〜９ｍｍとするのが好ましい。３ｍｍ未満では容易に材破して施工作業に支障をきたすことがあり、９ｍｍを超えると、コストアップにつながるとともに、分断作業の効率が悪くなることがある。好ましい下限は４ｍｍ、より好ましい下限は５ｍｍである。好ましい上限は８ｍｍ、より好ましい上限は７ｍｍである。
【００３４】
本発明に係る床材１０は、カッターなどの切断手段により、縦溝１に切込みを入れることにより縦溝１に沿って床材を容易に分断することができるので、施工後に一部の床材を容易に抜き取ることが可能となる。抜き取り方法については、後段で詳しく説明する。
なお、床材の長さおよび幅には制約がない。図１〜３では３０３ｍｍ×９０９ｍｍサイズ（いわゆる１×３尺サイズ）の床材の例を示しているが、３０３ｍｍ×１８１８ｍｍサイズ（いわゆる１×６尺サイズ）であってもよい。また、図１〜３では、２枚はぎの床材の例を示しているが、３枚はぎ、４枚はぎ、またはそれ以上のはぎ数の床材であってもよい。はぎ数が３枚以上の床材の場合、縦溝が２本以上有することになるが、分断用裏縦溝２ａは、いずれか一本の縦溝に沿うように形成されておれば足りる。分断用裏縦溝２ａは、幅方向中心に近い位置にある縦溝１に沿うように形成されていることが好ましい。縦溝１が複数ある場合には、その全部または一部の縦溝１に沿って、複数の分断用裏縦溝２ａを形成してもよい。
【００３５】
縦溝１には、Ｖ型、Ｕ型、凹型など様々な形状のものがある。縦溝１の溝底とは、溝の最も深い部分をいい、Ｖ型およびＵ型の溝の場合、細線状であり、凹型の場合、太線状である。いずれの縦溝１の場合でも、分断用裏縦溝２ａは、溝底の大部分（全体の８０％以上、好ましくは９０％以上、最も好ましいのは１００％）を含むように形成されておればよい。分断用裏縦溝２ａは、縦溝がＶ型およびＵ型の溝の場合、縦溝１の幅よりも狭くても良いが、縦溝１が凹型の溝の場合、分断用裏縦溝２ａの幅は縦溝１の幅よりも広く形成するのが好ましい。
【００３６】
図４に示す例では、縦溝１は、概ね０．２ｍｍ程度の表面層３を貫通し、基材層４の表層にまで及ぶように形成されているが、このような形態に限定されない。例えば、表面層３として１〜３ｍｍ厚さの挽板を用いる場合などには、縦溝は、表面層３内に収めることもできる。
【００３７】
ここで、縦溝１の幅、開口角などについては用途や客先仕様による。一方、分断用裏縦溝２ａは、その形状に特に制約はないが、縦溝１の底部と分断用裏縦溝２ａの底部との距離（図４のＤ）は１〜５ｍｍとするのが好ましく、その幅（図４のＷａ）は１〜１０ｍｍとするのが好ましい。
【００３８】
縦溝１の底部と分断用裏縦溝２ａの底部との距離が１ｍｍに満たない場合、カッターなどの手工具で床材の分断をすることが困難となる。一方、縦溝１の底部と分断用裏縦溝２ａの底部との距離が５ｍｍを超えると、縦溝１の部分における機械的な強度が不十分となり、縦溝１に強い負荷が掛かると、割れなどの不具合が生じかねない。よって、縦溝１の底部と分断用裏縦溝２ａの底部との距離は１〜５ｍｍとするのがよい。下限は１．５ｍｍとするのが好ましく、２ｍｍとするのがより好ましい。また、上限は４ｍｍ、より好ましくは３ｍｍとするのが好ましい。
【００３９】
分断用裏縦溝２ａの幅が１ｍｍに満たない場合、縦溝１に切込みを入れる際に少しでもずれると床材の分断が困難となるおそれがある。また、分断用裏縦溝２ａの幅が１０ｍｍを超えると、縦溝１の部分における機械的な強度が不十分となり、縦溝１に強い負荷が掛かると、割れなどの不具合が生じかねない。よって、分断用裏縦溝２ａの幅は１〜１０ｍｍとするのがよい。上限は７ｍｍとするのが好ましく、５ｍｍとするのがより好ましい。
【００４０】
剛性低下用裏縦溝２ｂの溝底から表面層３の表面１０ａまでの距離は、１〜６ｍｍとするのがよい。１ｍｍ未満では強い負荷が掛かると、割れなどの不具合が生じかねない。一方、この距離が６ｍｍを超えると、引き剥がし時の剛性低下が不十分になるおそれがある。また、床表面に剛性低下用裏縦溝２ｂが映るおそれがある。剛性低下用裏縦溝２ｂの深さは、分断用裏縦溝２ａと同じであってもよいし、異なっていてもよい。この距離の下限は２ｍｍとするのが好ましい。この距離の上限は５ｍｍとするのが好ましく、４．５ｍｍとするのがより好ましく、４ｍｍとするのが一層好ましい。
【００４１】
剛性低下用裏縦溝２ｂの幅が１ｍｍに満たない場合、引き剥がし時の剛性低下が不十分になるおそれがある。また、剛性低下用裏縦溝２ｂの幅が２５ｍｍを超えると、強い負荷が掛かると、割れなどの不具合が生じかねない。また、床表面に剛性低下用裏縦溝２ｂが映るおそれがある。よって、剛性低下用裏縦溝２ｂの幅は１〜２５ｍｍとするのがよい。上限は２０ｍｍとするのが好ましく、１５ｍｍとするのがより好ましく、１０ｍｍとするのが一層好ましい。さらに好ましいのは５ｍｍである。なお、基材層４が、合板層を含む場合には、剛性低下用裏縦溝２ｂの溝底が、剛性低下用裏縦溝に平行な単板層にあることが好ましい。
【００４２】
分断用裏縦溝２ａと剛性低下用裏縦溝２ｂとの間隔は、３５〜８０ｍｍとするのが好ましい。３５ｍｍ未満の場合、スクレーパーで剥がす際の作業効率が悪くなるおそれがあり、８０ｍｍを超えると、引き剥がし時に大きな力を要するおそれがある。この間隔は４５ｍｍ以上とするのがより好ましい。
【００４３】
なお、裏面には、分断用裏縦溝２ａおよび剛性低下用裏縦溝２ｂのほか、これらに垂直な方向の裏横溝を形成することが好ましい。
【００４４】
２．本実施形態の床構造
通常の床材を施工する際には、下地材全面に接着剤を塗布し、その上に床材を貼り付けることが行われるが、このような全面塗布の場合には、床材を引き剥がすのが困難である。このため、図６〜９に示すように、本実施形態の床構造では、床下地に接着層を介して、本実施形態の床材を貼り付けた床構造において、接着層５ａ、５ｂが、床材裏面１０ｂの少なくとも外周縁部に形成されている。床構造として十分な強度を確保するためである。接着層としては、外周縁部に形成された接着層５ａ、５ｂだけでなく、短手方向中央部の接着層５ｃ（図６、図７および図９参照）、長手方向中央部の接着層５ｄ（図７参照）、短手方向内部の接着層５ｅ（図８参照）などを備えていてもよい。
【００４５】
ただし、剛性低下用裏縦溝２ｂ（２ｂａ、２ｂｂ、２ｂｃ）のうちの少なくとも１本が、その全長に対する接着層が形成されていない部分の長さが８０％以上であることを要する。この長さが８０％未満の場合、引き剥がし時に大きな力を要し、また、下地材に多くの床材が残存し、作業効率を低下させるからである。ここで、剛性低下用裏縦溝２ｂ（２ｂａ、２ｂｂ、２ｂｃ）のうちの少なくとも１本とは、図６〜８に示す例では、剛性低下用裏縦溝２ｂであり、図９に示す例では、剛性低下用裏縦溝２ｂａ、２ｂｃである。
【００４６】
一方、本実施形態の床構造は、分断用裏縦溝２ａ上には、接着層を形成することが好ましい（図６、図７および図９の５ｃ参照）。これは、施工時には強度を高めることができ、また、分断した箇所にヘラ等を入れることで、接着層を破壊させるきっかけ部分を作りやすいためである。特に、分断用裏縦溝２ａの全長に渡って接着層を形成するのが好ましい。
【００４７】
下地材には、制約がないが、例えば、コンクリートスラブ、合板、パーティクルボードなど、戸建て住宅、マンション・アパートなどで用いられる下地材が挙げられる。接着層には、制約がないが、例えば、１液ウレタン接着剤、シリル化ウレタン接着剤、変成シリコーン系接着剤などが用いられる。なかでも、変成シリコーン系接着剤などの剥離可能な接着剤が好ましい。接着層５ａ〜５ｅの幅は、５０ｍｍ以下であることが好ましい。本実施形態の床構造には、釘、両面テープなどを併用して施工したものも含まれるが、これらを使用せず、接着剤のみで施工した場合に、本発明の効果が顕著となる。
【００４８】
３．本実施形態の一部床材の抜き取り方法
本実施形態の一部床材の抜き取り方法においては、床材の施工後に、一部の床材を抜き取るに際して、まず、図１０に示すように、カッターなどの切断手段２２を用いて、抜取対象床材２０の縦溝２１に沿って切込みを入れる。これにより抜取対象床材２０を縦溝２１に沿って分断させやすくする。次に、図１１に示すように、運搬用吸盤２３を抜取対象床材２０の表面に吸着させ、その状態で運搬用吸盤２３を上方に移動させることによって、施工済みの他の床材を傷つけることなく、抜取対象床材２０のみを剥ぎ取ることが可能である。一部床材の抜き取り後には、下地材２４の上面にクッション材や接着剤などのフロア残留物２５が残っているため、スクレーパー（図示省略）などによってこれを取り除けば、新規の床材を貼り付けることが可能となる。
【実施例】
【００４９】
本発明の床材の効果を確認するため、厚さ５．５ｍｍの５層合板上に、厚さ０．５ｍｍのＭＤＦを貼り付けたものを基材層とし、その上に厚さ０．１６ｍｍの樹脂製化粧シートを貼り付けた床材Ａと、厚さ５．５ｍｍのＭＤＦ上に、厚さ０．１６ｍｍの樹脂製化粧シートを貼り付けた床材Ｂとを用意した。床材は、剛性低下用裏縦溝がないものと、剛性低下用裏縦溝の深さを変更したものを用意した。いずれも３００ｍｍ×９００ｍｍのサイズとした。全ての床材には、縦溝（深さ０．４ｍｍ、幅１．４ｍｍ）と分断用裏縦溝（深さ２．９ｍｍ、幅３．０ｍｍ）とを形成し、裏横溝（深さ：合板の場合は４．０ｍｍ、ＭＤＦの場合は３．６ｍｍ、幅１．５ｍｍ、合計５６本）を形成した。上記の床材Ａおよび床材Ｂの表面を観察し、裏溝の映りの有無を確認した。このとき、裏溝の映りがあるものを×、ないものを○として評価した。
【００５０】
その後、床材Ａおよび床材Ｂから、それぞれ５０ｍｍ×１５０ｍｍｍの試験片をそれぞれ５枚ずつ切り出した。それぞれの試験用床材について、ＪＩＳ  Ａ  ５９０５（２０１４）に従い三点曲げ試験を行った。三点曲げ試験においては、支点間の距離を１４０ｍｍとし、支持点間に剛性低下用裏縦溝がない条件（試番Ａ１、Ｂ１）および支持点間に剛性低下用裏縦溝がある条件（試番Ａ２〜Ａ５、試番Ｂ２〜Ｂ４）において、荷重速度１０ｍｍ／ｍｉｎとし、所定部位の曲げ強さを測定した。いずれも、支点間を結ぶ直線が剛性低下用裏縦溝と垂直になるように配置した。なお、支点間の距離は、支持点間に剛性低下用裏縦溝がない条件においては、１４０ｍｍよりも短くてもよい。
【００５１】
一方、剥離作業性を調査するために、上記の床材Ａおよび床材Ｂを、コンクリート下地上に、変成シリコーン系接着剤を用いて施工し、一部床材の抜き取るために必要な力を測定した。施工に際し、接着剤は図６に示す条件で床材裏面に塗布した。力の測定は、カッターを用いて、抜取対象床材の縦溝に沿って切込みを入れた後、運搬用吸盤を抜取対象床材の表面に吸着させ、その状態で運搬用吸盤を垂直に持ち上げ、このときの荷重（ｋｇ）を測定した。荷重が２０ｋｇを超える場合を×、２０ｋｇ以下の場合を○として評価した。
【００５２】
以上の結果を表１に示す。
【００５３】
【表１】
2017101499.tif 000003
【００５４】
表１に示すように、試番Ａ１、Ｂ１では、いずれも剛性低下用裏縦溝がないため、曲げ強さ比Ｒｂ（＝Ｂ１／Ｂ０）が１．００となり、床材が容易に破壊しないため、剥離作業性が悪い結果となった。試番Ａ２では、剛性低下用裏縦溝を有するものの、曲げ強さ比Ｒｂが０．５６と高く、剥離作業性が悪い結果となった。試番Ｂ４では、剛性低下用裏縦溝を有するものの、曲げ強さ比Ｒｂが０．０５と低く、剥離作業性は良いものの、裏溝の映りがあった。これに対し、試番Ａ２〜Ａ５、Ｂ２およびＢ３では、いずれも剛性低下用裏縦溝を有し、かつ曲げ強さ比Ｒｂが０．１０〜０．４０であるため、剥離作業性が良く、しかも裏溝の映りがなかった。
【産業上の利用可能性】
【００５５】
本発明によれば、カッターなどの切断手段により、縦溝に沿って床材を容易に分断することができ、また、より小さな力で剥離作業をおこなうことができるので、施工後に一部の床材を容易に抜き取ることが可能となる。このような床材を用いた床構造であれば、一部床材の抜き取る際に、施工済みの他の床材を傷つけることなく、また、より小さな力で抜取対象床材を剥がすことが可能となる。
【符号の説明】
【００５６】
１      縦溝
２ａ    分断用裏縦溝
２ｂ    剛性低下用裏縦溝
２ｂａ  剛性低下用裏縦溝
２ｂａ  剛性低下用裏縦溝
２ｂａ  剛性低下用裏縦溝
３      表面層
４      基材層
５ａ    接着層（長手側外周縁部）
５ｂ    接着層（短手側外周縁部）
５ｃ    接着層（短手方向中央部）
５ｄ    接着層（長手方向中央部）
５ｅ    接着層（短手方向内部）
１０    本発明の床材
１０ａ  床材表面
１０ｂ  床材裏面
１１    本発明の床材
１２    本発明の床材（他の例）
２０    抜取対象床材
２１    縦溝
２２    切断手段（カッター）
２３    運搬用吸盤
２４    下地材
２５    フロア残留物
【図１】
2017101499.tif 000004
【図２】
2017101499.tif 000005
【図３】
2017101499.tif 000006
【図４】
2017101499.tif 000007
【図５】
2017101499.tif 000008
【図６】
2017101499.tif 000009
【図７】
2017101499.tif 000010
【図８】
2017101499.tif 000011
【図９】
2017101499.tif 000012
【図１０】
2017101499.tif 000013
【図１１】
2017101499.tif 000014